(57)【要約】【課題】  一般家庭から発生する生活塵埃特に生活生ゴミを一時的に集積保管を行うに当り、烏等の鳥類、犬、猫等の小動物から保護するため、軽量にして持ち運びが容易で、設置場所が自由に選ぶことができ、ゴミ袋を安全に保護し、風・雨など耐水、耐候性のすぐれた装置が要求される。  又、不使用時の保管の安全性も要求される。【解決手段】  ポリエチレン等の硬質の樹脂材料により網目状にして帯状体と、この帯状体の両端を接合して筒状にせる保護ガードを形式し、この保護ガードを筒状に起立させて、この囲撓された空間にゴミ袋を収納し、これらゴミ袋を被覆するごとく柔軟性の網上をした被覆体を設けたことを特徴としている。【選択図】    図１
2005119870.tif 000002
【特許請求の範囲】
【請求項１】
ポリエチレン等の硬質の樹脂材料により網目状にして帯状体になし、該帯状体の両端を接合して筒状にせる保護ガードと、該保護ガードを筒状に起立させて、この囲撓された空間に塵埃を収納せる際、この上部開口部を被覆せる柔軟性を備えた網状の被覆体とよりなる塵埃収納装置。
【請求項２】
前記保護ガードは、筒状の端縁を該保護ガードより目合いの小さい剛性のネットベルトを被覆して補強させたことを特徴とせる請求項１に記載の塵埃収納装置。
【請求項３】
前記保護ガードは、その長さ方向に間隔をもって複数の補強材を設けてなる請求項１に記載の塵埃収納装置。
【請求項４】
前記保護ガードは、不使用時には渦巻状の筒体に巻回可能にした請求項１乃至３記載の塵埃収納装置。
【請求項５】
前記保護ガードは、筒体に巻回せる際、巻きつける端部を表示する表示体と、巻回状態を維持する固定体とを備えた請求項１乃至４記載の塵埃収納装置。
【請求項６】
前記保護ガードの目合いの大きさは５乃至１５ｍｍ２の範囲にしたことを特徴とせる請求項１に記載の塵埃収納装置。
【発明の詳細な説明】
【技術分野】
【０００１】  本発明は、塵埃収納装置に係り、特に家庭にて発生する生ゴミ等の生活塵埃を公共団体による収集前に一時的に集積保管を行う収納装置に関する。
【背景技術】
【０００２】  一般家庭等にて発生する生活塵埃、特に生活ゴミの処置対策としては環境上の問題から公共団体に依存するところが多く、近年では生ゴミ処理機などにより独自に処理を行う家庭も増加しつつあり、充分な処置対策が行われていないのが現状である。【０００３】  生活ゴミの処理対策は、市町村によるゴミ収集により一括して焼却施設による処理が行われる方式がとられるようになったが、収集前の一時的な集積保管には多くの問題が発生している。【０００４】  市街地における一時的なゴミ集積には、烏などの鳥類、犬、猫などの小動物類が、生ゴミをねらって餌あさりを行い結果として保管地域を汚損し環境を破壊したり、道路などを通行不可能にするなどの問題点を伴うことになった。【０００５】  従来から家庭等から発生するゴミは、各家庭毎にビニール袋を利用して、これを小グループ毎に指定場所を設置して一時的に集積保管を行うところが殆んどで、これら集積ゴミ袋は、
（１）漁網のような自由自在に変形できる被覆網によって全体を被覆したり、
（２）所定の大きさの網篭を容器状にしたものとして実用新案登録第３０５２１６８号
（３）不使用時には折りたたみによって嵩を小さくし、使用時には所定の大きさに組みたてるようにした篭容器にしたものとして実用新案登録第３０９５４４０号及び特開２００３−８９４０１
（４）硬質の細長状の棒状体をシャッター式に多数並列に屈曲変形自在の筒状の囲い壁により収容具を構成したものとして実用新案登録第３０８６２２３号
の各方式によって一時的な保管を行う方式が提唱されている。【０００６】  上記従来例のうち、現在殆どの市街地で使用されている被覆網を集積ゴミ袋に被覆する方式では、集積場所が定まらず街の美観を損ねて環境破壊を招き交通の妨げを起こすなど多くの問題点があった。
また、上記（２）及び（３）に至っては、使用時はその目的は達成されるものの、不使用時には設置場所或いは保管場所に多くの場所を必要として市街地では有効な利用には不適切なものとなっていた。
次に、上記（４）に述べた収納具では、筒状の囲い壁は硬質の細長状の棒状体をシャッター式に多数並列に、屈曲変形自在の筒状に形成するので、使用時の設置場所では風による転倒が生じ、その為内部に収納した生ゴミを含む塵埃袋は烏などの鳥類或いは犬、猫などの小動物などの餌となり所期の目的が達せられないこととなる。
【発明の開示】
【発明が解決しようとする課題】
【０００７】  上記のような従来の方式による問題点に鑑み、本発明はこれらの欠点を解消して一般家庭用に適した塵埃収納装置を提供する。【０００８】  すなわち、本発明により、風雨などを考慮した耐候性にすぐれ、長期の使用に耐えることができ、且つ著しく軽量化の為持ち運び及び不使用時の片づけを容易にした塵埃収納装置を提供する。
【課題を解決するため手段】
【０００９】  上記の課題は、以下の構成によって達成できる。すなわち、
【００１０】  本願の請求項１に係る発明の塵埃収納装置は、ポリエチレン等の硬質の樹脂材料により網目状にして帯状体になし、該帯状体の両端を接合して筒状にせる保護ガードと、該保護ガードを筒状に起立させて、この囲撓された空間に塵埃を収納せる際、この上部開口部を被覆せる柔軟性を備えた網状の被覆体とより構成することを特徴とする。
【００１１】  本題の請求項２に係る発明は、請求項１記載の塵埃収納装置において、前記保護ガードは、筒状の端縁を該保護ガードより目合いの小さい剛性のネットベルトを被覆して補強させたことを特徴とする。
【００１２】  本題の請求項３に係る発明は、請求項１記載の塵埃収納装置において、前記保護ガードは、その長さ方向に間隔をもって複数の補強材を設けたことを特徴とする。
【００１３】  本願の請求項４に係る発明は、請求項１乃至３記載の塵埃収納装置において、前記保護ガードは、不使用時には渦巻状の筒体に巻回可能にしたことを特徴とする。
【００１４】  本願の請求項５に係る発明は、請求項１乃至４記載の塵埃収納装置において、前記保護ガードは、筒体に巻回せる際、巻きつける端部を表示する表示体と、巻回状態を維持する固定体とを備えたことを特徴とする。
【００１５】  本願の請求項６に係る発明は、請求項１記載の塵埃収納装置において、前記保護ガードの目合いの大きさは、５乃至１５ｍｍ２の範囲にしたことを特徴とする。
【発明の効果】
【００１６】  請求項１記載の埃塵収納装置によれば、保護ガードはポリエチレン等の硬質の樹脂材料によって網目状にして帯状体になし、この帯状体の両端を接合して筒状にして囲まれた空間を生活ゴミを一時的に集積保管を行う構造となる。その結果、設置場所やスペースによって囲い形状を長方形、四角形、三角形、円形或いは変形円形等自由自在に広げて使用可能とする。
又、生活ゴミ袋を収納した場合、強風等にて網目部分が緩衝作用を行い定位置を保持して倒立を防ぐことができる。更に、不使用時には後片づけが容易にできる。
【００１７】  更に、保護ガードの空間に、柔軟性の網状の被覆体を被せるだけの簡単な作業で生活ゴミ袋の出し入れが行うことができ、収納量が増減しても設置場所を異常状態にすることがない。
【００１８】  請求項２記載の塵埃収納装置によれば、保護ガードは、筒状の端縁を目合いの小さい剛性のネットベルトにより補強したので、端縁部が人に触れても安全でしかも上下何れになっても地面に接触して損傷を招くことはない。
【００１９】  請求項３記載の塵埃収納装置によれば、保護ガードは、その長さ方向に間隔をもって複数の補強材を設けることによって、上下方向の強度を高めて使用時の倒立を防ぐと共に不使用時の巻回には何ら支障を招くことはない。
【００２０】  請求項４記載の塵埃収納装置によれば、保護ガードは、不使用時には渦巻状の筒体に巻回可能にしたので、筒体にして全体の嵩を小さくして持ち運びを容易にし、保管場所に合致した形状にして通行の妨げにならないようにすることができる。
【００２１】  請求項５記載の塵埃収納装置によれば、保護ガードは筒体に巻回するとき、端部に表示体と巻回を維持するフックとなる固定体を設けているので、巻きつけを行う際には、何ら熟練を要することなく簡単にコンパクトに筒体とすることができる。
【００２２】  前記固定体は、その先端にフックを設けることにより保護ガードの網目に引掛けて固定することができる。
又、固定体は、ベルトにすれば、保護ガードを電柱等に取り付けることができ、不使用時に通行、交通の障害とならない。
【００２３】  請求項６記載の塵埃収納装置によれば、保護ガードの目合いの大きさは５乃至１５ｍｍ２の範囲にしているので、生活ゴミ袋を収納した場合、烏の嘴或いは犬、猫等の手の侵入を防ぎ生活ゴミの散乱を防ぎ、設置場所を汚染することがない。
【００２４】  以下、具体的な構成例に基づいて塵埃収納装置を説明し、実施例をもとに従来品との比較を行う。
【実施例】
【００２５】  本発明は、生活ゴミ特に生ゴミを収容せるビニール袋を一般家庭から持ち寄って公共団体の収集前に一時的に集積保管を行う装置に関するものであって、内部に囲撓された収納空間１を設けた保護ガード２と、前記空間１の上部開口部を被覆する被覆体３とより構成している。【００２６】  前記保護ガード２は、ポリエチレン等の硬質の樹脂材料より網目状にして帯状体になし、該帯状体の両端を接合して筒状に形成する。
この硬質の樹脂材料は、商標名ダイプラネトロンと称して大日本プラスチックス株式会社の販売せる「ＮＳＫ１１」を用いて幅４００ｍｍ、長さ５０００ｍｍに切断し、その両端を１０ｍｍ乃至１５ｍｍ重合して耐水、耐候性のある細い紐Ｈで縫い合わせる。この縫い合わせに代えて熱容着により重合接着させてもよい。
前記の商品は、正方形の網目をしており、それぞれその内径は１０ｍｍではあるが、烏の嘴が入らない程度の大きさがよく、５乃至１５ｍｍの範囲内が好ましく、方形、菱形、円形など何れの形状でも烏の嘴を考慮したものであればよい。【００２７】  前記保護ガード２は、筒状に形成され、その端縁を目合いの小さい剛性のネットベルト４によって被覆され耐水・耐候性の紐Ｈによりミシン等で縫合して取り付けられる。このネットベルト４は、同じくネトロンシートＤ６が望ましく、端縁を被覆しているが、保護ガード２の端縁を折り曲げてこのネットベルト４を内部に巻き込んで縫合しても同等の効果が得られる。【００２８】  前記保護ガード２は、その長さ方向に４〜６カ所間隔をおいて幅狭の補強材５を接合させている。この補強材５は、剛性のあるネットで網目の大きさは保護ガード２より大きく、両端を保護ガードの内側に当接して端縁部分にて剛性のある紐Ｈにて縫合される。【００２９】  上記の如く構成せる保護ガード２は、内部に収納空間１をつくり、この空間に生活ゴミを収納せるゴミ袋Ｇを収納し、その上部を柔軟性のある網状の被覆体３を被せて、収納したゴミ袋Ｇを一時保管を行う。
ここに用いる被覆体３は現在市販され一般に用いられている網状体のものである。【００３０】  不使用になった保護ガード２は、図８、９、１０に示す如く、巻きつける端部を表示する表示体６を目印にして、ここを中心になるよう巻回して筒体状にしたのち固定体７によって筒状に維持する。この固定体７は単なるフックで保護ガード２の網目状部に引掛けるか或いはベルトにて筒体全体を巻装し、場合によってはこのベルトにより保護ガード２を巻装したまま電柱などに固定してもよい。【００３１】  保護ガード２は図２（Ａ）〜（Ｃ）に示した通り、設置場所の条件により必要に応じて変形して使用される。【００３２】  保護ガードはポリエチレン等の硬質の樹脂材料によって構成して、耐候性にすぐれ、燃焼によっても環境破壊を招くことなく、リサイクル可能などすぐれた特徴を備えている。
【図面の簡単な説明】
【００３３】
【図１】本発明を実施した斜面図である。
【図２】本発明の保護ガードの使用形態を示す斜面図で、（Ａ）、（Ｂ）、（Ｃ）は任意に選択できる例を示す。
【図３】保護ガードの両端接合部を示す斜面図である。
【図４】保護ガードとネットベルトの接合状態を示す斜面図である。
【図５】保護ガードと補強材との接合状態を示す斜面図である。
【図６】保護ガードの平面図である。
【図７】ネットベルトの平面図である。
【図８】保護ガードの巻回開始時の斜面図である。
【図９】同じく保護ガードの巻回過程の斜面図である。
【図１０】同じく保護ガードの巻回完了時の斜面図である。
【符号の説明】
【００３４】１    収納空間
２    保護ガード
３    被覆体
４    ネットベルト
５    補強材
６    表示体
７    固定体
Ｇ    ゴミ袋
Ｈ    紐
【図１】
2005119870.tif 000003
【図３】
2005119870.tif 000004
【図２（Ａ）】
2005119870.tif 000005
【図２（Ｂ）】
2005119870.tif 000006
【図２（Ｃ）】
2005119870.tif 000007
【図４】
2005119870.tif 000008
【図５】
2005119870.tif 000009
【図６】
2005119870.tif 000010
【図７】
2005119870.tif 000011
【図８】
2005119870.tif 000012
【図９】
2005119870.tif 000013
【図１０】
2005119870.tif 000014